【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
荷役装置で使用される膨張バッグであって、
筒を備え、該筒の一方の端は、該筒の他方の端と接合されて無限ループを形成し、
前記無限ループは、内体積を定め、
前記バッグは、前記内体積への流体の進入を許可するように構成された入口手段を含む、膨張バッグ。
【請求項２】
請求項１に記載の膨張バッグであって、
前記筒は、１枚の材料シートを筒状に折ることによって形成される、膨張バッグ。
【請求項３】
請求項２に記載の膨張バッグであって、
前記筒を形成する前記シートの側端は、重複するように折られ、その重複領域において接合されることによって、封止を形成する、膨張バッグ。
【請求項４】
請求項１、２、または３に記載の膨張バッグであって、
前記筒の端は重複し、その重複部分において接着される、膨張バッグ。
【請求項５】
請求項１ないし４のいずれかに記載の膨張バッグであって、
前記接着は、熱溶接、高周波溶接、または糊付けによって実施される、膨張バッグ。
【請求項６】
請求項１ないし５のいずれかに記載の膨張バッグであって、
前記内体積への流体の進入を許可するように構成された前記入口手段は、前記筒の一部を構成する、膨張バッグ。
【請求項７】
請求項１ないし６のいずれかに記載の膨張バッグであって、
前記筒に、網状材料が収容される、膨張バッグ。
【請求項８】
請求項７に記載の膨張バッグであって、
前記網状材料は、前記入口手段に収容される、膨張バッグ。
【請求項９】
荷役用の膨張バッグであって、
前記バッグは、内部膨張部屋を定め、
前記バッグは、前記膨張部屋が無限ループの形態をとるように構成され、
前記バッグは、相互に接続され積み重なった複数の小部屋に前記膨張部屋が分割されるように、重なり合う複数のバッグ部分を定めるように折られる、膨張バッグ。
【請求項１０】
請求項９に記載の荷役用の膨張バッグであって、
前記重なり合うバッグ部分は、同一の広がりを持つように構成される、膨張バッグ。
【請求項１１】
請求項９または１０に記載の膨張バッグであって、
前記バッグ部分は、第１の長さの第１および第２の小部屋と、前記第１の小部屋と前記第２の小部屋との間に並列配置されるように構成された少なくとも１対の第３の小部屋と
を含む、膨張バッグ。
【請求項１２】
請求項１１に記載の膨張バッグであって、
前記第３の小部屋は、合計で前記第１の長さに等しくなるように、それぞれ、前記第１および第２の小部屋の前記長さのほぼ半分である、膨張バッグ。
【請求項１３】
請求項１０ないし１２のいずれかに記載の膨張バッグであって、
前記バッグは、入り組んだ構成に折られ、好ましくはほぼ波状である、膨張バッグ。
【請求項１４】
請求項１０ないし１３のいずれかに記載の膨張バッグであって、
前記バッグは、ほぼ筒状の断面を有し、該筒の端を接合されることによって、前記部屋を前記無限ループに形成し、好ましくは前記筒の端は重複し、その重複部分において固定手段によって接合される、膨張バッグ。
【請求項１５】
請求項１０ないし１４のいずれかに記載の膨張バッグであって、
前記重なり合うバッグ部分は、互いに接合される、膨張バッグ。
【請求項１６】
請求項１０ないし１５のいずれかに記載の膨張バッグであって、
前記バッグは、１枚の材料シートで作成され、好ましくは前記シートは折られ、重複する端を接合されることによって筒状構造を形成する、膨張バッグ。
【請求項１７】
請求項１０ないし１６のいずれかに記載の膨張バッグであって、
前記バッグは、膨張用流体を受け取るための入口を有する、膨張バッグ。
【請求項１８】
請求項１０ないし１７のいずれかに記載の膨張バッグであって、
前記バッグは、圧力逃し弁を有する、膨張バッグ。
【請求項１９】
請求項１ないし１８のいずれかに記載の膨張バッグであって、
前記バッグ材料の表面は、前記バッグがそれ自身に対して摺動可能にするように、低摩擦仕上げで処理され、好ましくは前記バッグの表面は、エンボス加工される、膨張バッグ。
【請求項２０】
荷役用の膨張バッグであって、
前記バッグは、内部膨張部屋を定め、
前記バッグは、重複するバッグ部分によって形成される継ぎ目によって形成される少なくとも１つの封止端を有し、
前記継ぎ目は、前記バッグの膨張時に前記バッグ部分がせん断応力を受けるように構成され、
前記バッグは、相互に接続され積み重なった複数の小部屋に前記部屋が分割されるよう
に、重なり合う複数のバッグ部分を定めるように折られる、膨張バッグ。
【請求項２１】
請求項２０に記載の膨張バッグであって、
前記バッグは、相対する主壁を定める平らな筒の形態をとり、前記継ぎ目は、前記端を折り返し、相対する折り返し部分どうしを接合させ、前記主壁の一方の内面に接着させることによって形成される、膨張バッグ。
【請求項２２】
基部と、
品物を積むことができる可動式の台と、
内部膨張部屋を定め、膨張の際に前記台が前記基部に対して相対移動されるように前記台と前記基部との間に配された、少なくとも１つの膨張バッグと、
を備え、前記バッグは、相互に接続され積み重なった複数の小部屋に前記部屋が分割されるように、重なり合う複数のバッグ部分を定めるように折られる、荷役装置。
【請求項２３】
請求項２２に記載の荷役装置であって、
前記バッグは細長い、荷役装置。
【請求項２４】
請求項２２または２３に記載の荷役装置であって、
前記バッグは、前記膨張部屋が無限ループの形態をとるように構成され、好ましくは前記バッグは、ほぼ筒状の断面を有し、該筒の端を接合されることによって前記部屋を前記無限ループに形成する、荷役装置。
【請求項２５】
請求項２４に記載の荷役装置であって、
前記筒の端は重複し、その重複部分において接着される、荷役装置。
【請求項２６】
請求項２２または２３に記載の荷役装置であって、
前記バッグは、重複するバッグ部分によって形成され且つ前記バッグの膨張時にこれらのバッグ部分がせん断応力を受けるように構成される継ぎ目によって形成される、少なくとも１つの封止端を有し、前記バッグは、相対する主壁を定める平らな筒の形態をとり、前記継ぎ目は、前記端を折り返し、相対する折り返し部分どうしを接合させ、前記主壁の一方の内面に接着させることによって形成される、荷役装置。
【請求項２７】
請求項２２ないし２６のいずれかに記載の荷役装置であって、
前記重なり合うバッグ部分は、同一の広がりを持つように構成される、荷役装置。
【請求項２８】
請求項２２ないし２７のいずれかに記載の荷役装置であって、
前記バッグ部分は、第１の長さの第１および第２の小部屋と、前記第１の小部屋と前記第２の小部屋との間に並列配置されるように構成された少なくとも１対の第３の小部屋とを含み、好ましくは前記第３の小部屋は、合計で第１の長さに等しくなるように、それぞれ、第１および第２の小部屋のほぼ半分の長さである、荷役装置。
【請求項２９】
請求項２２ないし２８のいずれかに記載の荷役装置であって、
前記バッグは、入り組んだ構成に折られ、又は前記バッグは、ほぼ波状の部屋を定めるように折られる、荷役装置。
【請求項３０】
請求項２２ないし２９のいずれかに記載の荷役装置であって、
更に、前記台と前記基部との間に伸長可能なリンク機構を備え、好ましくは前記リンク機構はシザーズリンクであって、前記シザーズリンクは、好ましくは端と端との間の中間部分を枢軸において相互に回動可能に結合された第１および第２の細長い部材を含む、荷役装置。
【請求項３１】
請求項２２ないし３０のいずれかに記載の荷役装置であって、
更に、膨張中または収縮中に前記バッグを折り畳み構成に保持するためのバッグ保持部材を備え、前記バッグは前記保持部材を折り込む、荷役装置。
【請求項３２】
請求項３１に記載の荷役装置であって、
前記保持部材は、前記バッグの２つの折られた部分を隣り合う状態に保持する働きをする、荷役装置。
【請求項３３】
請求項３１または３２に記載の荷役装置であって、
前記保持部材はループの形態をとる、荷役装置。
【請求項３４】
請求項３０に記載の荷役装置であって、
更に、前記バッグを折り畳み構成に保持するためのバッグ保持部材を備え、
前記保持部材は、前記枢軸から隔たれ且つ前記枢軸に平行に伸びる棒の形態をとる、荷役装置。
【請求項３５】
請求項２２ないし３４のいずれかに記載の荷役装置であって、
更に、前記台と前記基部との間に配される相隔たれたパネルを備え、
好ましくは前記バッグは前記パネルの間に配され、又は前記バッグは前記相隔たれたパネルの少なくとも一方を折り込む、荷役装置。
【請求項３６】
請求項３５に記載の荷役装置であって、
請求項３０に従属する場合に、前記パネルは前記リンクに結合され、好ましくは前記パネルは、前記リンクの前記細長い部材に固定され、互いに傾いている、荷役装置。
【請求項３７】
請求項３６に記載の荷役装置であって、
請求項３０に従属する場合に、前記パネルは、前記台および前記基部に平行に配され、前記シザーズリンクの前記細長い部材は、それらの脚と前記パネルとの間の相対運動を可能にする連結構成によって前記パネルに結合される、荷役装置。
【請求項３８】
請求項２２ないし３７のいずれかに記載の荷役装置であって、
前記重なり合うバッグ部分は、互いに接合される、荷役装置。
【請求項３９】
請求項２２ないし３７のいずれかに記載の荷役装置であって、
前記バッグは、１枚の材料シートで作成され、好ましくは前記シートは折られ、重複する端において接合されることによって筒状構造を形成する、荷役装置。
【請求項４０】
請求項２２ないし３９のいずれかに記載の荷役装置であって、
前記バッグは、膨張用流体を受け取るための入口を有し、および／又は前記バッグは、圧力逃し弁を有する、荷役装置。
【請求項４１】
請求項２２ないし４０のいずれかに記載の荷役装置であって、
中間パネルと、
一方を前記台と前記中間パネルとの間に配され、他方を前記中間パネルと前記基部との間に配された、２つの膨張バッグと、
を更に備え、
好ましくは膨張用流体の給源に接続するための膨張用流体管が提供され、該管は、各バッグに接続するための個々の分岐出口を定める、荷役装置。
【請求項４２】
請求項４１に記載の荷役装置であって、
前記管は、少なくとも部分的に前記中間パネル内に配される、荷役装置。
【請求項４３】
請求項４１または４２に記載の荷役装置であって、
請求項３０に従属する場合に、前記中間パネルは、前記シザーズリンクの前記枢軸上に回動可能に配される、荷役装置。
【請求項４４】
請求項２２ないし４３のいずれかに記載の荷役装置であって、
前記バッグ材料の表面は、前記重なり合うバッグ部分を互いに摺動可能にするように、低摩擦仕上げで処理され、好ましくは前記バッグの表面は、エンボス加工される、荷役装置。
【請求項４５】
第１の端から延びる床を定めるトレーラであって、
前記トレーラの前記第１の端から品物を積むことができる少なくとも１つの第１の可動式の台を備え、
前記可動式の台は、リフト機構によって前記床の上に支持され、
前記リフト機構は、
折り畳み位置と伸長位置との間で変位可能な少なくとも１つのシザーズリンクと、
垂直に相隔てられ、前記床と前記台との間の位置で連結構成によって前記シザーズリンクにそれぞれ結合される１対のパネルであって、該連結構成は、前記折り畳み位置と前記伸長位置との間における前記シザーズリンクの変位中に、前記シザーズリンクと前記パネルとの間の相対運動を可能にするものである、パネルと、
相互に流体を行き来させる複数の部屋を含む膨張バッグであって、該バッグの膨張によって前記パネルを互いから離開させることによって、前記シザーズリンクを前記伸長位置へと変位させ、前記台を上昇させるように、前記パネルの間に配される膨張バッグと、
を含む、トレーラ。
【請求項４６】
請求項４５に記載のトレーラであって、
前記シザーズリンクは、枢軸において相互に結合された第１および第２の細長い部材を含み、
前記シザーズリンクの前記細長い部材は、第１および第２の端をそれぞれ有し、
前記パネルは、前記細長い部材の前記第１の端と前記第２の端との間の中間部分に結合される、トレーラ。
【請求項４７】
請求項４５又は４６に記載のトレーラであって、
前記連結構成は、前記リンクまたは前記パネルの一方に定められた突起と、前記リンクまたは前記パネルの他方に定められたスロットとを含み、前記突起は、前記スロットに収容され、該スロットに対して平行移動および回転の両方で相対運動可能であり、
好ましくは前記突起は、ピンの形態をとり、又は前記突起は、前記パネルに沿って伸びる棒の形態をとる、トレーラ。
【請求項４８】
請求項４７に記載のトレーラであって、
前記スロットは前記パネルに定められ、前記突起は前記シザーズリンクの前記細長い部材に定められる、トレーラ。
【請求項４９】
請求項４６ないし４８のいずれかに記載のトレーラであって、
前記第１の細長い部材の第１の端は、前記台の固定位置に回動可能に結合され、前記第１の細長い部材の第２の端は、前記床の上を自由に平行移動し、前記第２の細長い部材の第１の端は、前記床の固定位置に回動可能に結合され、前記第２の細長い部材の第２の端は、前記台の下側を自由に平行移動し、
好ましくは前記第１および第２の細長い部材の前記第２の端に、それぞれ、ローラ又はスライド部材が結合される、トレーラ。
【請求項５０】
請求項４９に記載のトレーラであって、
前記ローラまたは前記滑り部材は、それぞれ、前記台または前記床に接続された対応する誘導走路に収容される、トレーラ。
【請求項５１】
請求項４５ないし５０のいずれかに記載のトレーラであって、
前記台は、各側に１つずつ配された第１および第２のシザーズリンクによって支持され、好ましくは前記第１および第２のシザーズリンクは、共通軸によって結合される、トレーラ。
【請求項５２】
請求項５１に記載のトレーラであって、
前記共通軸は、前記床と前記台との間に配された軸の形態をとる、トレーラ。
【請求項５３】
請求項４５ないし５２のいずれかに記載のトレーラであって、
前記台の下側は、前記折り畳み位置において前記シザーズリンクおよび前記パネルの一方または両方を少なくとも部分的に受け入れる少なくとも１つのくぼみを有し、および／又は前記パネルは、前記折り畳み位置において前記膨張バッグおよび前記シザーズ機構の一方または両方を少なくとも部分的に受け入れる少なくとも１つのくぼみを提供される、トレーラ。
【請求項５４】
請求項４５ないし５３のいずれかに記載のトレーラであって、
前記バッグの部屋は、重なり合う関係にあるように配置される、トレーラ。
【請求項５５】
請求項４５ないし５４のいずれかに記載のトレーラであって、
前記バッグは入口弁を有し、および／又は前記バッグは出口弁を有する、トレーラ。
【請求項５６】
請求項４５ないし５５のいずれかに記載のトレーラであって、
前記パネルのうちの上側のパネルと前記台との間の中間に、追加のバッグが提供され、好ましくは相互に流体を行き来させる複数の部屋が提供される、トレーラ。
【請求項５７】
請求項４５ないし５６のいずれかに記載のトレーラであって、
前記バッグに接続された流体給源が提供される、トレーラ。
【請求項５８】
請求項４５ないし５７のいずれかに記載のトレーラであって、
前記トレーラは、ウェルと、前記ウェルの中に位置する前記可動式の台とを定める、トレーラ。
【請求項５９】
請求項４５ないし５８のいずれかに記載のトレーラであって、
荷積み用の前方の床を定める第１の部分と、後方の床を定める後方部分と、前記前方部分と前記後方部分との間に位置するウェルと、前記ウェルの中に配される前記可動式の台とを備えるトレーラ。
【請求項６０】
請求項４５ないし５９のいずれかに記載のトレーラであって、
荷積み用の前方の床を定める第１の部分と、後方の床を定める後方部分と、前記前方部分と前記後方部分との間に位置するウェルとを備え、
前記可動式の台は、前記後方の床の上方において、上昇位置と下降位置との間を垂直に移動可能であり、
前記支持台は、前記支持台が前記上昇位置にあるときに前記ウェルの上方で水平に移動可能である前記荷積み用の台を運び、
前記荷積み用の台は、前記支持台から、前記車両の側壁に取り付けられた支持部材へと移
動可能である、トレーラ。
【請求項６１】
荷を積むことができ、リフト機構によって支持される可動式の台であって、
前記リフト機構は、
折り畳み位置と伸長位置との間で変位可能な少なくとも１つのシザーズリンクと、
垂直に相隔てられ、前記リフト機構が支持される表面と前記台との間の位置で連結構成によって前記シザーズリンクにそれぞれ結合される１対のパネルであって、該連結構成は、前記折り畳み位置と前記伸長位置との間における変位中において前記シザーズリンクと前記パネルとの間の相対運動を可能にするものである、パネルと、
相互に流体を行き来させる複数の部屋を含む膨張バッグであって、該バッグの膨張によって前記パネルを互いから離開させることによって、前記シザーズリンクを前記伸長位置へと変位させ、前記台を上昇させるように、前記パネルの間に配される膨張バッグと、
を含む、可動式の台。
【請求項６２】
膨張バッグを作成する方法であって、
適切なバッグ材料のシートを用意する工程と、
前記バッグ材料のシートを、一方の側端が反対側の側端と重複するように筒状に折る工程と、
前記折られた筒を、前記重複する側端に沿って接合することによって、相対する端および重複する継ぎ目を長手方向に有する細長い筒を形成する工程と、
前記細長い筒を、一方の端が他方の端に押し込まれて重複領域が形成されるように折る工程であって、前記折られた細長い筒は、内体積を有する無限ループを定めるものである、工程と、
前記内部領域を密封する継ぎ目を、前記重複領域に形成する工程と
を備える膨張バッグ作成方法。